(57)【要約】【課題】設定器を用いることなく、制御信号の出力をロックする設定および当該ロックの解除が容易に行える壁スイッチ装置およびこの壁スイッチ装置を具備する照明制御システムを提供する。【解決手段】壁スイッチ装置３は、スイッチ部１０のオンオフの手動操作に応じた制御信号を生成する操作スイッチ手段１４，２０と、第１および第２の操作手順を記憶している記憶手段１５と、前記制御信号を伝送線９に出力する伝送手段１７，２０と、第１の操作手順で手動操作が行われたときに伝送線９に前記制御信号を出力させないように制御し、第２の操作手順で手動操作が行われたときに伝送線９に前記制御信号を出力させないことを解除するロック制御手段１８，２０とを具備している。【選択図】図３
2007087803.tif 000002
【特許請求の範囲】
【請求項１】
スイッチ部を有し、このスイッチ部のオンオフの手動操作に応じた制御信号を生成する操作スイッチ手段と；
予め設定された前記手動操作の操作手順を記憶している記憶手段と；
スイッチ部の手動操作が前記操作手順であるか否かを判定する手動操作判定手段と；
スイッチ部の手動操作が前記操作手順でないときに前記制御信号を伝送線に出力する伝送手段と；
スイッチ部の手動操作が前記操作手順であるときに、以後、スイッチ部の手動操作に応じた制御信号を伝送線に出力させないように制御するロック制御手段と；
を具備していることを特徴とする壁スイッチ装置。
【請求項２】
スイッチ部を有し、このスイッチ部のオンオフの手動操作に応じた制御信号を生成する操作スイッチ手段と；
予め設定された前記手動操作の第１および第２の操作手順を記憶している記憶手段と；
スイッチ部の手動操作が前記第１および第２の操作手順であるか否かを判定する手動操作判定手段と；
スイッチ部の手動操作が前記第１および第２の操作手順でないときに前記制御信号を伝送線に出力する伝送手段と；
スイッチ部の手動操作が前記第１の操作手順であるときに、以後、スイッチ部の手動操作に応じた制御信号を伝送線に出力させないように制御し、スイッチ部の手動操作が前記第２の操作手順であるときに前記制御信号を伝送線に出力させないことを解除するロック制御手段と；
を具備していることを特徴とする壁スイッチ装置。
【請求項３】
表示用の発光ダイオードを備え、ロック制御手段が前記制御信号を伝送線に出力させないように制御しているときに前記発光ダイオードの点灯状態によりロック状態を表示することを特徴とする請求項１または２記載の壁スイッチ装置。
【請求項４】
さらに、外部設定器が着脱可能な設定器接続部を備え、外部設定器から前記操作手順が設定され、記憶手段に記憶されることを特徴とする請求項１ないし３いずれか一記載の壁スイッチ装置。
【請求項５】
請求項１ないし４いずれか一記載の壁スイッチ装置と；
この壁スイッチ装置を伝送線により接続している主制御装置と；
前記伝送線に接続され、壁スイッチ装置から出力された制御信号に応じた主制御装置からの伝送信号を受信する制御端末器と；
前記伝送信号に応じて制御端末器により点灯制御される照明負荷と；
を具備していることを特徴とする照明制御システム。
【発明の詳細な説明】
【技術分野】
【０００１】
本発明は、不必要なスイッチ操作を防止する壁スイッチ装置およびこの壁スイッチ装置を具備する照明制御システムに関する。
【背景技術】
【０００２】
店舗、展示場やビルなどの共用部分では、照明を点灯または消灯状態に維持しておきたい場合がある。すなわち、来客等により壁スイッチがオンオフ操作されて、照明が消灯または点灯されては困る場合がある。これを防止するために、壁スイッチを操作しても照明を点灯または消灯させなくした照明制御システムが提案されている。例えば、フル２線信号線にスイッチ操作ロックユニットを接続して、このスイッチ操作ロックユニットに手元スイッチを接続することが提案されている（例えば、非特許文献１参照。）。当該スイッチ操作ロックユニットは、年間プログラムタイマにより設定された所定の時刻と時刻の間に亘って、フル２線信号線と手元スイッチを接続させなくする。したがって、手元スイッチが不所望に操作されても照明の点消灯状態が変わらないものである。
【非特許文献１】スイッチ操作ロックユニット、松下電工（株）電設資材カタログ２００４−２００６、平成１６年４月発行、リモコン配線器具、ｐ．３８８または、［平成１７年６月２７日検索］、インターネット＜ＵＲＬ：
【０００３】
http://biz.national.jp/Ebox/full2/gijutu/ww1a01.html＞
【発明の開示】
【発明が解決しようとする課題】
【０００４】
非特許文献１のスイッチ操作ロックユニットは、フル２線信号線と手元スイッチを接続させなくするというロック状態にするとき、また、当該ロック状態を解除して手元スイッチにより通常の点消灯を行うようにするとき、都度、スイッチ操作ロックユニットに設定器を接続して設定するので、手間を要するという欠点を有する。また、スイッチ操作ロックユニットは、不所望に点消灯させたくない手元スイッチに個別に接続されるので、設置スペースの確保が必要であり、設備費用が大きくなるという問題がある。
【０００５】
本発明は、設定器を用いることなく、制御信号の出力をロックする設定および当該ロックの解除が容易に行える壁スイッチ装置およびこの壁スイッチ装置を具備する照明制御システムを提供することを目的とする。
【課題を解決するための手段】
【０００６】
請求項１に記載の壁スイッチ装置の発明は、スイッチ部を有し、このスイッチ部のオンオフの手動操作に応じた制御信号を生成する操作スイッチ手段と；予め設定された前記手動操作の操作手順を記憶している記憶手段と；スイッチ部の手動操作が前記操作手順であるか否かを判定する手動操作判定手段と；スイッチ部の手動操作が前記操作手順でないときに前記制御信号を伝送線に出力する伝送手段と；スイッチ部の手動操作が前記操作手順であるときに、以後、スイッチ部の手動操作に応じた制御信号を伝送線に出力させないように制御するロック制御手段と；を具備していることを特徴とする。
【０００７】
本発明および以下の各発明において、特に言及しない限り、各構成は以下による。
【０００８】
伝送線を介して接続される負荷は、照明負荷、ヒータなどの伝熱線、冷暖房機、換気扇や送風機など、伝送線に出力された制御信号に応じて動作し、電力を消費するものであればよい。
【０００９】
「予め設定された操作手順」とは、一例として、所定時間（例えば３秒）内のスイッチ部のオンオフの操作回数である。また、スイッチ部がオン操作部およびオフ操作部を有するときは、連続するオンオフ状態、例えば、操作手順をオン、オン、オフとし、または、オフ、オフ、オンとすることができる。記憶手段は、不揮発性で形成されている。
【００１０】
「制御信号を伝送線に出力させないように制御する」とは、壁スイッチ装置のスイッチ部の手動操作が無効化（ロック化）されることを意味し、「伝送線に制御信号を出力させないことを解除する」とは、壁スイッチ装置のスイッチ部の手動操作の無効化（ロック化）が解除されて当該手動操作が有効になることを意味する。後者の場合、スイッチ部の通常のオンオフ操作に応じた制御信号が伝送手段により伝送線に出力される。
【００１１】
一旦、予め設定された操作手順でスイッチ部の手動操作が行われると、ロック制御手段により、スイッチ部のオンオフの手動操作に応じた制御信号が伝送線に出力されることが停止される。したがって、スイッチ部が不所望に手動操作されて、負荷の動作が不所望に変化することが防止される。
【００１２】
続いて、予め設定された操作手順でスイッチ部の手動操作を行うと、前記停止を解除することができる。これにより、スイッチ部のオンオフの手動操作に応じた制御信号が伝送手段により伝送線に出力される。したがって、スイッチ部を所望に手動操作することにより、負荷の動作が所望に変化される。
【００１３】
本発明によれば、スイッチ部の予め設定された操作手順の手動操作により、以後、伝送線にスイッチ部の手動操作に応じた制御信号を出力させなくすることができる。すなわち、壁スイッチ装置のスイッチ部の手動操作を無効にすること（ロック化）は、スイッチ部の予め設定された操作手順の手動操作によって行える。
【００１４】
請求項２に記載の壁スイッチ装置の発明は、スイッチ部を有し、このスイッチ部のオンオフの手動操作に応じた制御信号を生成する操作スイッチ手段と；予め設定された前記手動操作の第１および第２の操作手順を記憶している記憶手段と；スイッチ部の手動操作が前記第１および第２の操作手順であるか否かを判定する手動操作判定手段と；スイッチ部の手動操作が前記第１および第２の操作手順でないときに前記制御信号を伝送線に出力する伝送手段と；スイッチ部の手動操作が前記第１の操作手順であるときに、以後、スイッチ部の手動操作に応じた制御信号を伝送線に出力させないように制御し、スイッチ部の手動操作が前記第２の操作手順であるときに前記制御信号を伝送線に出力させないことを解除するロック制御手段と；を具備していることを特徴とする。
【００１５】
第１および第２の操作手順は、一例として、所定時間（例えば３秒）内のスイッチ部のオンオフの異なる操作回数である。また、スイッチ部がオン操作部およびオフ操作部を有するときは、連続するオンオフ状態、例えば、第１の操作手順をオン、オン、オフとし、第２の操作手順をオフ、オフ、オンとすることができる。第１および第２の操作手順は、予め設定して記憶手段に記憶させている。
【００１６】
また、第１および第２の操作手順は、同一の操作手順を許容する。
【００１７】
一旦、第１の操作手順でスイッチ部の手動操作が行われると、ロック制御手段により、スイッチ部のオンオフの手動操作に応じた制御信号が伝送線に出力されることが停止される。したがって、スイッチ部が不所望に手動操作されて、負荷の動作が不所望に変化することが防止される。
【００１８】
そして、第２の操作手順でスイッチ部の手動操作を行うと、前記停止が解除される。これにより、スイッチ部のオンオフの手動操作に応じた制御信号が伝送手段により伝送線に出力される。したがって、スイッチ部を所望に手動操作することにより、負荷の動作が所望に変化される。
【００１９】
本発明によれば、スイッチ部の第１および第２の操作手順の手動操作により、伝送線にスイッチ部の手動操作に応じた制御信号を出力させなくすることができ、伝送線に制御信号を出力させないことを解除することができる。すなわち、壁スイッチ装置のスイッチ部の手動操作を無効および有効にすること（ロック化およびロック化の解除）は、スイッチ部の第１および第２の操作手順の手動操作によって行える。
【００２０】
請求項３に記載の壁スイッチ装置の発明は、請求項１または２記載の壁スイッチ装置において、表示用の発光ダイオードを備え、ロック制御手段が伝送線に前記制御信号を出力させないように制御しているときに前記発光ダイオードの点灯状態によりロック状態を表示することを特徴とする。
【００２１】
「ロック状態」とは、スイッチ部の手動操作に応じた制御信号が伝送線に出力されないように制御されている状態をいう。
【００２２】
本発明によれば、ロック制御手段が伝送線に制御信号を出力させないように制御しているときに発光ダイオードの点灯状態によりロック状態が表示されるので、発光ダイオードの点灯状態の視認により、壁スイッチ装置のスイッチ部の手動操作が無効化（ロック化）されていることが確認される。
【００２３】
請求項４に記載の壁スイッチ装置の発明は、請求項１ないし３いずれか一記載の壁スイッチ装置において、さらに、外部設定器が着脱可能な設定器接続部を備え、外部設定器から前記操作手順が設定され、記憶手段に記憶されることを特徴とする。
【００２４】
本発明によれば、外部設定器を設定器接続部に接続して、外部設定器から手動操作の操作手順を任意に設定して記憶手段に記憶させることができる。
【００２５】
請求項５に記載の照明制御システムの発明は、請求項１ないし４いずれか一記載の壁スイッチ装置と；この壁スイッチ装置を伝送線により接続している主制御装置と；前記伝送線に接続され、壁スイッチ装置から出力された制御信号に応じた主制御装置からの伝送信号を受信する制御端末器と；前記伝送信号に応じて制御端末器により点灯制御される照明負荷と；を具備していることを特徴とする。
【００２６】
本発明によれば、壁スイッチ装置のスイッチ部で予め設定された操作手順の手動操作を行うことにより、壁スイッチ装置から伝送線に制御信号を出力させなくすることができるので、壁スイッチ装置の不所望なオンオフ操作によって、壁スイッチ装置に対応している照明負荷が不所望に点消灯されることを防止できる照明制御システムが提供される。
【発明の効果】
【００２７】
請求項１の発明によれば、設定器を用いることなくスイッチ部で予め設定された操作手順の手動操作を行うことにより、以後、伝送線にスイッチ部の手動操作に応じた制御信号を出力させなくすることができるので、壁スイッチ装置のスイッチ部の手動操作を無効化（ロック化）することを容易にかつ自在に行うことができる。また、壁スイッチ装置自体がスイッチ部の手動操作を無効化させる機能（ロック機能）を有するので、壁スイッチ装置の設置スペース以外のスペースを要しなくすることができるとともに、壁スイッチ装置の利便性を向上させることができる。
【００２８】
請求項２の発明によれば、設定器を用いることなくスイッチ部で第１および第２の操作手順の手動操作を行うことにより、伝送線にスイッチ部の手動操作に応じた制御信号を出力させなくすることができ、伝送線に制御信号を出力させないことを解除することができるので、壁スイッチ装置のスイッチ部の手動操作の無効化および無効化の解除（ロック化およびロック化の解除）を容易にかつ自在に行うことができ、壁スイッチ装置の利便性を向上させることができる。
【００２９】
請求項３の発明によれば、壁スイッチ装置のスイッチ部の手動操作が無効化（ロック化）されているときに発光ダイオードの点灯状態によりロック状態が表示されるので、発光ダイオードの点灯状態を視認させることによって、スイッチ部の手動操作を行っても負荷の動作を変更できないことを報知させることができる。
【００３０】
請求項４の発明によれば、外部設定器を設定器接続部に接続して、外部設定器から手動操作の操作手順を任意に設定できるので、当該操作手順を自由に変更することができる。
【００３１】
請求項５の発明によれば、照明制御システムは、請求項１ないし４いずれか一記載の壁スイッチ装置を具備するので、壁スイッチ装置が不所望にオンオフ操作されて壁スイッチ装置に対応している照明負荷が不所望に点消灯されることを防止することができる。また、操作手順でスイッチ部を手動操作することにより、壁スイッチ装置のスイッチ部の手動操作の無効（ロック）を解除することができるので、当該解除をした後、壁スイッチ装置を所望にオンオフ操作して壁スイッチ装置に対応している照明負荷を所望に点消灯させることができる。
【発明を実施するための最良の形態】
【００３２】
以下、本発明の一実施の形態について、図面を参照して説明する。まず、本発明の第１の実施形態について説明する。
【００３３】
図１ないし図４は、本発明の第１の実施形態を示し、図１は照明制御システムのブロック図、図２は壁スイッチ装置の概略正面図、図３は壁スイッチ装置のブロック図、図４は壁スイッチ装置の動作のフロー図である。
【００３４】
図１において、照明制御システム１は、主制御装置２、壁スイッチ装置３、人感センサ装置４、制御端末器５および照明負荷６を有して構成されている。照明負荷６，６は、照明器具７に配設されている。照明器具７には、照明負荷６，６を点灯する図示しない点灯装置が収納されており、この点灯装置が制御端末器５内のリレー（図示しない。）に接続されている。そして、壁スイッチ装置３は、外部設定器８が接続されるように形成されている。壁スイッチ装置３および人感センサ装置４は、監視端末器を形成している。
【００３５】
主制御装置２は、例えば照明主操作盤内に配設され、壁スイッチ装置３、人感センサ装置４および制御端末器５を２線の伝送線９により接続している。そして、壁スイッチ装置３および人感センサ装置４からそれぞれ出力された制御信号が入力され、当該制御信号を解析して、当該制御信号に応じた伝送信号を伝送線９に出力する。
【００３６】
壁スイッチ装置３は、後述するように、スイッチ部１０のオンオフの手動動作に応じた制御信号を伝送線９に出力するように形成されている。また、人感センサ装置４は、人体の検出の有無に応じた制御信号を伝送線９に出力するように形成されている。
【００３７】
制御端末器５は、主制御装置２からの伝送信号を伝送線９から受信し、当該伝送信号に応じてリレーをオンオフ制御するように形成されている。すなわち、リレーがオンすると、照明器具７内の点灯装置に電源が供給されて点灯装置が照明負荷６，６を点灯させる。また、リレーがオフすると、点灯装置に電源が供給されなくなるので、照明負荷６，６は消灯する。こうして、照明負荷６，６は、主制御装置２からの伝送信号に応じて、制御端末器５によりリレーがオンオフされることにより、点灯または消灯制御される。
【００３８】
なお、制御端末器５は、主制御装置２からの伝送信号に応じて、点灯装置に調光信号を送出して、照明負荷６，６を点灯、消灯および調光点灯させるように形成されてもよい。
【００３９】
そして、壁スイッチ装置３は、例えば箱体に形成され、この箱体の内部に電子部品等が収納されている。壁スイッチ装置３は、壁などの造営物に直付けまたは埋設され、図２に示すように、前面３ａには、例えば押圧、復帰される平板で形成されてオンオフ操作される複数のスイッチ部１０、各スイッチ部１０にそれぞれ並設されている表示用の発光ダイオード（ＬＥＤ）１１，１２および中央下部側に外部設定器８が着脱される設定器接続部１３を設けている。
【００４０】
各スイッチ部１０は、それぞれ制御端末器５に対応されている。発光ダイオード１１は、並設のスイッチ部１０に対応している制御端末器５により照明負荷６，６が点灯制御されているときに赤色で点灯するように制御され、発光ダイオード１２は、同じく照明負荷６，６が消灯制御されているときに緑色で点灯するように制御される。また、発光ダイオード１１，１２は、後述するように、壁スイッチ装置３がロック化されているときに点灯制御される。そして、設定器接続部１３は、図示しないスライドドアを移動させることにより、壁スイッチ装置３の前面３ａに開閉する。
【００４１】
そして、壁スイッチ装置３は、図３に示すように、操作スイッチ入力インターフェース（Ｉ／Ｆ）部１４、記憶手段としての不揮発性の記憶部１５、揮発性の記憶部１６、伝送インターフェース（Ｉ／Ｆ）部１７、ロック処理部１８、電源生成部１９、制御部２０、ＬＥＤ制御インターフェース（Ｉ／Ｆ）部２１および設定器インターフェース（Ｉ／Ｆ）部２２を有して構成されている。
【００４２】
そして、出力端子２３ａ，２３ｂは、伝送Ｉ／Ｆ部１７の出力側に接続され、電源端子２４ａ，２４ｂは、電源生成部１９の入力側に接続されている。出力端子２３ａ，２３ｂは、伝送線９，９に接続され、電源端子２４ａ，２４ｂは、出力端子２３ａ，２３ｂを介して伝送線９，９に接続されている。
【００４３】
操作スイッチ入力Ｉ／Ｆ部１４は、各スイッチ部１０に接続されていて、スイッチ部１０のオンオフの手動操作に応じた操作信号を制御部２０に送出する。制御部２０は、当該操作信号に応じた演算処理により制御信号を生成する。すなわち、スイッチ部１０の手動操作に応じた制御信号、例えば照明負荷６，６を点消灯させるオンオフ信号を生成する。スイッチ部１０、操作スイッチ入力Ｉ／Ｆ部１４および制御部２０は、スイッチ部１０のオンオフの手動操作に応じた制御信号を生成する操作スイッチ手段を形成している。
【００４４】
不揮発性の記憶部１５は、制御部２０の動作を実行させるプログラムを格納しているＲＯＭを具備している。また、スイッチ部１０のオンオフの手動操作における第１の操作手順および第２の操作手順を記憶している。ここで、第１および第２の操作手順は、互いに異なっている。そして、揮発性の記憶部１６は、ＲＡＭを具備し、制御部２０が演算処理したデータを記憶する。
【００４５】
伝送Ｉ／Ｆ部１７は、制御部２０の制御により、制御部２０で演算生成されたスイッチ部１０のオンオフの手動操作に応じた制御信号を出力端子２３ａ，２３ｂから伝送線９，９に出力するように構成されている。伝送Ｉ／Ｆ部１７および制御部２０は、当該制御信号を伝送線９，９に出力する伝送手段を形成している。
【００４６】
ロック処理部１８は、スイッチ部１０の手動操作の実行が入力されると、制御部２０の制御により、不揮発性の記憶部１５に記憶されている第１および第２の操作手順を読み出す。そして、当該手動操作が第１の操作手順と一致するときに、スイッチ部１０のオンオフの手動操作に応じた制御信号を伝送Ｉ／Ｆ部１７から伝送線９，９に出力させないようにすること、すなわちロック状態のデータを不揮発性の記憶部１５に記憶させる。また、当該手動操作が第２の操作手順と一致するときに、不揮発性の記憶部１５に前記ロック状態のデータが記憶されていると、前記ロック状態を解除する。すなわち、伝送線９，９にスイッチ部１０のオンオフの手動操作に応じた制御信号を出力させないことを解除するように、不揮発性の記憶部１５から前記ロック状態のデータを消去させる。そして、不揮発性の記憶部１５おける前記ロック状態のデータの記憶および消去は、各スイッチ部１０に対応して行われる。ロック処理部１８および制御部２０は、ロック制御手段を形成している。
【００４７】
電源生成部１９は、伝送線９に伝送された伝送信号から所定の直流電圧を生成して、制御部２０などの各回路部に動作電源を供給するように構成されている。
【００４８】
制御部２０は、ＲＯＭおよびＣＰＵ（中央処理装置）を具備し、各回路部に接続され、壁スイッチ装置３全体の動作を統括管理するものである。そして、制御部２０は、スイッチ部１０の手動操作が行われると、まず、当該手動操作が不揮発性の記憶部１５に記憶されている第１および第２の操作手順であるか否かを判定する。すなわち、制御部２０は、手動操作判定手段を形成している。この判定により、当該手動操作が第１および第２の操作手順であると、上述したロック制御手段が形成される。そして、当該手動操作が第１および第２の操作手順ではない判定がなされ、かつ不揮発性の記憶部１５に前記ロック状態のデータが記憶されていないと、当該手動操作に応じた制御信号を伝送線９に出力させるように伝送Ｉ／Ｆ部１７を制御する。また、当該手動操作が第１および第２の操作手順ではない判定がなされ、かつ不揮発性の記憶部１５に前記ロック状態のデータが記憶されていると、当該手動操作に応じた制御信号を伝送線９に出力させないように制御するロック制御手段の動作を行う。
【００４９】
ＬＥＤ制御Ｉ／Ｆ部２１は、制御部２０がスイッチ部１０のオンオフの手動操作に応じた制御信号を伝送線９に出力させないように制御しているときに、発光ダイオード１１，１２の両方を点灯または点滅させるように構成されている。この発光ダイオード１１，１２の点灯状態により、スイッチ部１０の手動操作に応じた制御信号が伝送線９に出力されないというロック状態が表示される。
【００５０】
設定器Ｉ／Ｆ部２２は、設定器接続部１３に接続された外部設定器８からスイッチ部１０の手動操作の第１および第２の操作手順を入力して制御部２０に送出する。すなわち、外部設定器８から第１および第２の操作手順を設定することができて、不揮発性の記憶部１５に記憶させることができる。
【００５１】
次に、壁スイッチ装置３（制御部２０）の動作について、図４を参照して述べる。
【００５２】
スイッチ部１０が手動操作（オンオフ）されると（ステップＳ１）、当該手動操作が不揮発性の記憶部１５に記憶されている第１および第２の操作手順であるか否かが判断される（ステップＳ２）。そして、当該手動操作が第１および第２の操作手順でないと、現在、制御部２０が当該手動操作に応じた制御信号を伝送線９に出力させないように制御しているロック状態であるか否かが判断される（ステップＳ３）。
【００５３】
そして、スイッチ部１０がロック状態であると、スイッチ部１０のオンオフによって照明負荷６，６を点消灯させなくするとともに、壁スイッチ装置３の前面３ａの発光ダイオード１１，１２の両方を点灯または点滅させることを継続させる（ステップＳ４）。これにより、スイッチ部１０がロック状態であることが表示され、照明負荷６，６を点消灯させることができないことが報知される。
【００５４】
また、スイッチ部１０がロック状態でないと、制御部２０は、スイッチ部１０のオンオフの手動操作に応じたオン信号またはオフ信号の制御信号を伝送Ｉ／Ｆ部１７から伝送線９に出力させる（ステップＳ５）。当該制御信号は、伝送線９を介して主制御装置２へ送信される。そして、主制御装置２からスイッチ部１０に対応する制御端末器５に伝送信号が伝送され、制御端末器５に接続されている照明負荷６，６が点消灯される。
【００５５】
このように、スイッチ部１０がロック状態にされていると、スイッチ部１０に対応する照明負荷６，６を点消灯できなくなる。すなわち、現在の点消灯状態を継続させたい照明負荷６，６がスイッチ部１０の不所望なオンオフ操作によって点消灯されることを防止できる。
【００５６】
ステップＳ２において、スイッチ部１０のオンオフの手動操作が第１および第２の操作手順であると、現在、スイッチ部１０がロック状態であるか否かが判断される（ステップＳ６）。そして、スイッチ部１０がロック状態でないと、手動操作が第１の操作手順によるものか第２の操作手順によるものかが判定される（ステップＳ７）。そして、手動操作が第２の操作手順であるとき、スイッチ部１０はロック状態にされていなく、ロック状態の解除を要しないので、ステップＳ１に戻る。
【００５７】
そして、手動操作が第１の操作手順であるとき、ロック制御手段（ロック処理部１８および制御部２０）により、スイッチ部１０のロック状態の処理が行われる（ステップＳ８）。すなわち、スイッチ部１０のオンオフの手動操作に応じた制御信号を伝送線９に出力させないようにするロック状態のデータを不揮発性の記憶部１５に記憶させ、制御部２０に対して当該ロック状態のデータに基づいて制御信号を伝送線９に出力させないように制御させる。
【００５８】
不揮発性の記憶部１５にロック状態のデータが記憶されているとき、制御部２０は、ＬＥＤ制御Ｉ／Ｆ部２１に対して壁スイッチ装置３の前面３ａの発光ダイオード１１，１２の両方を点灯または点滅させるように制御する。発光ダイオード１１，１２の点灯または点滅により、スイッチ部１０がロック状態であることが視認できる（ステップＳ９）。
【００５９】
このように、スイッチ部１０を第１の操作手順で手動操作することにより、制御部２０が当該スイッチ部１０のオンオフの手動操作に応じた制御信号を伝送線９に出力させないように制御するロック状態にすることができるとともに、このロック状態を発光ダイオード１１，１２の点灯または点滅により報知することができる。
【００６０】
ステップＳ６において、スイッチ部１０がロック状態であると、手動操作が第１の操作手順によるものか第２の操作手順によるものかが判定される（ステップＳ１０）。そして、手動操作が第２の操作手順であるとき、スイッチ部１０は既にロック状態にされているので、ステップＳ１に戻る。
【００６１】
そして、手動操作が第２の操作手順であるとき、ロック制御手段（ロック処理部１８および制御部２０）により、スイッチ部１０のロック状態の解除処理が行われる（ステップＳ１１）。すなわち、制御部２０によるスイッチ部１０のオンオフの手動操作に応じた制御信号を伝送線９に出力させないようにすることが解除され、不揮発性の記憶部１５に記憶しているロック状態のデータが消去される。また、壁スイッチ装置３の前面３ａの発光ダイオード１１，１２の両方を点灯または点滅させることが停止される（ステップＳ１２）。この発光ダイオード１１，１２の点灯または点滅の停止により、スイッチ部１０がロック状態ではないことが表示される。
【００６２】
このように、スイッチ部１０を第２の操作手順で手動操作することにより、制御部２０が当該スイッチ部１０のオンオフの手動操作に応じた制御信号を伝送線９に出力させないように制御することを解除できる。したがって、通常のスイッチ部１０のオンオフ操作により、スイッチ部１０に対応する照明器具７の照明負荷６，６を点消灯することができる。
【００６３】
上述したように、スイッチ部１０を第１および第２の操作手順で手動操作することにより、スイッチ部１０に対応する照明負荷６，６が不所望に点消灯されることを防止するスイッチ部１０（壁スイッチ装置３）のロック、このロック状態からスイッチ部１０に対応する照明負荷６，６を通常どおり点消灯させるようにする前記ロックの解除を容易にかつ自在に行うことができる。すなわち、外部の設定器を用いることを要しない。
【００６４】
また、壁スイッチ装置３自体がスイッチ部１０のオンオフの手動操作に応じた制御信号を伝送線９に出力させないように制御するというロック機能を有するので、壁スイッチ装置３の設置スペース以外のスペースを要しなくすることができるとともに、壁スイッチ装置３の利便性を向上させることができる。
【００６５】
そして、外部設定器８を壁スイッチ装置３の前面３ａの設定器接続部１３に接続することにより、外部設定器８から第１および第２の操作手順を任意に設定して不揮発性の記憶部１５に記憶させることができるので、当該操作手順を自由に変更することができる。
【００６６】
次に、本発明の第２の実施形態について説明する。
【００６７】
図５は、本発明の第２の実施形態を示す壁スイッチ装置の動作のフロー図である。なお、図４と同一部分には、同一符号を付して説明は省略する。
【００６８】
図５に示す動作の壁スイッチ装置は、図２および図３に示す壁スイッチ装置３と同様に構成されており、制御部２０の制御が異なる。すなわち、スイッチ部１０の手動操作の１つの操作手順が予め設定されて不揮発性の記憶部１５に記憶される。操作手順は、例えばスイッチ部１０の所定期間（例えば３秒）内の連続するオン、オン、オンとすることができる。また、操作手順は、設定器接続部１３に接続した外部設定器８から予め設定させて不揮発性の記憶部１５に記憶させることができる。
【００６９】
そして、ロック制御手段（ロック処理部１８および制御部２０）は、当該操作手順でスイッチ部１０の手動操作が行われたときに、伝送線９にスイッチ部１０のオンオフの手動操作に応じた制御信号を出力させないように制御し、その後、当該操作手順でスイッチ部１０の手動操作が行われたときに伝送線９に前記制御信号を出力させないことを解除する。すなわち、当初、スイッチ部１０が前記操作手順で手動操作されたときにスイッチ部１０をロックし、スイッチ部１０がロック状態であってスイッチ部１０が前記操作手順で手動操作されたときにロック状態が解除される。したがって、図５に示す壁スイッチ装置の動作は、図４において、ステップＳ７およびステップＳ１０が除去された動作となっている。
【００７０】
１つの操作手順でスイッチ部１０を手動操作することにより、より容易にスイッチ部１０のロックの設定およびロックの解除が行える。
【図面の簡単な説明】
【００７１】
【図１】本発明の第１の実施形態を示す照明制御システムのブロック図。
【図２】同じく、壁スイッチ装置の概略正面図。
【図３】同じく、壁スイッチ装置のブロック図。
【図４】同じく、壁スイッチ装置の動作のフロー図。
【図５】本発明の第２の実施形態を示す壁スイッチ装置の動作のフロー図。
【符号の説明】
【００７２】
１…照明制御システム
２…主制御装置
３…壁スイッチ装置
５…制御端末器
６…照明負荷
１１，１２…発光ダイオード
１３…設定器接続部
１４…操作スイッチ手段を構成する操作スイッチ入力Ｉ／Ｆ部
１５…記憶手段としての不揮発性の記憶部
１７…伝送手段を構成する伝送Ｉ／Ｆ部
１８…ロック制御手段を構成するロック処理部
２０…手動操作判定手段を構成する制御部
【図１】
2007087803.tif 000003
【図２】
2007087803.tif 000004
【図３】
2007087803.tif 000005
【図４】
2007087803.tif 000006
【図５】
2007087803.tif 000007